(57)【要約】【課題】設備故障が発生した建物に対して複数の係員から即応可能な候補者を迅速に選択して対応する係員出動指令システムを提供する。【解決手段】情報センタ１０は、設備１２の故障が発生した建物１１の位置情報を取得する建物位置情報取得部２と、係員の位置情報を取得する係員位置情報取得部３と、各係員の位置情報と、建物の位置情報とから各係員の移動距離を算出して判定する係員移動距離判定部４と、複数の係員が集合して作業をしているか否かを判断して係員の集合情報を判定する係員集合情報判定部５と、係員の出動の容易度を判定する係員出動容易度判定部６と、係員の移動の迅速度を判定する係員移動迅速度判定部７と、建物の設備の故障発生情報を受信すると、各係員について各判定部４，５，６，７が判定した結果に基づき点数化し、出動候補者を順位付けして表示する出動係員情報表示部８と、を備える。【選択図】図１
2010092193.tif 000002
【特許請求の範囲】
【請求項１】
設備の故障発生情報を発信する建物と、遠隔監視装置により故障発生情報を受信し、複数の係員の中から出動する係員を選定してその係員に出動指示を出す情報センタと、情報センタに動静情報を提出する複数の係員とが、通信回線を介してネットワークを構成する係員出動指令システムにおいて、
情報センタは、
設備の故障が発生した建物の位置情報を取得する建物位置情報取得部と、
係員の動静情報から、係員の位置情報を取得する係員位置情報取得部と、
各係員の位置情報と、設備の故障が発生した建物の位置情報とから各係員の移動距離を算出して判定する係員移動距離判定部と、
係員の動静情報から、１つの作業現場に複数の係員が集合して作業をしているか否かを判断して係員の集合情報を判定する係員集合情報判定部と、
係員の動静情報から、係員の作業状況を取得して係員の出動の容易度を判定する係員出動容易度判定部と、
係員の動静情報から、係員の移動手段を取得して係員の移動の迅速度を判定する係員移動迅速度判定部と、
建物の設備の故障発生情報を受信すると、各係員について係員移動距離判定部、係員集合情報判定部、係員出動容易度判定部、及び係員移動迅速度判定部が判定した結果を点数化し、出動候補者を順位付けして表示する出動係員情報表示部と、
を備えることを特徴とする係員出動指令システム。
【請求項２】
請求項１に記載の係員出動指令システムであって、出動係員情報表示部は、各判定部の判定結果について、故障が発生した建物への出動に適した条件を有する場合に、予め設定された点数を付与し、各係員に付与された点数を合算し、合算された点数の高い係員から出動候補者を順位付けすることを特徴とする係員出動指令システム。
【請求項３】
請求項１又は２に記載の係員出動指令システムであって、係員集合情報判定部は、係員が提出した動静情報から行先が同じ現場である係員を検索し、１つの作業現場に複数の係員が集合して作業をしているか否かを判断し、出動係員情報表示部は、集合している係員の人数が予め設定された人数以上である場合に、それらの係員に対して予め定められた点数を加点することを特徴とする係員出動指令システム。
【請求項４】
請求項１乃至３のいずれか１に記載の係員出動指令システムであって、係員出動容易度判定部は、係員が待機中である場合、作業内容が保守点検である場合、作業終了予定時刻までの残余時間が所定の時間以上である場合、及び作業終了予定時刻までの残余時間が所定の時間以下である場合か否かを判定し、出動係員情報表示部は、これらの場合に該当する係員に対して予め設定された点数を加点することを特徴とする係員出動指令システム。
【請求項５】
請求項４に記載の係員出動指令システムであって、係員出動容易度判定部は、係員が他の建物の設備の故障に対応中である場合には、その係員の出動容易度情報にフラッグを立て、出動係員情報表示部は、出動候補者の順位付けの際に、フラッグの立っている係員の順位を最下位とすることを特徴とする係員出動指令システム。
【請求項６】
請求項１乃至５のいずれか１に記載の係員出動指令システムであって、係員移動距離判定部は、係員の移動距離を算出し、出動係員情報表示部は、予め設定された移動距離に対応する点数を加点することを特徴とする係員出動指令システム。
【請求項７】
請求項１乃至６のいずれか１に記載の係員出動指令システムであって、係員出動容易度判定部は、設備の故障が発生した建物の担当者である係員を判定し、出動係員情報表示部は、担当者である係員に対して点数を加点することを特徴とする係員出動指令システム。
【請求項８】
請求項１乃至７のいずれか１に記載の係員出動指令システムであって、係員移動迅速度判定部は、係員が自動車、自転車、又はオートバイを使用して移動可能か否かを判定し、出動係員情報表示部は、係員がこれらの移動手段により移動可能である場合には予め設定された点数を加点することを特徴とする係員出動指令システム。
【請求項９】
請求項１乃至８のいずれか１に記載の係員出動指令システムであって、係員位置情報取得部は、係員が提出した動静情報からその係員の位置情報が取得できない場合には、携帯電話のＧＰＳ機能から係員の位置情報を取得することを特徴とする係員出動指令システム。
【請求項１０】
請求項１乃至９のいずれか１に記載の係員出動指令システムであって、出動係員情報表示部は、順位付けした出動候補者について係員動静表地図上の係員の表示の近傍に順位を表示することを特徴とする係員出動指令システム。
【発明の詳細な説明】
【技術分野】
【０００１】
本発明は、係員出動指令システムに係り、特に、設備の故障発生情報を発信する建物と、遠隔監視装置により故障発生情報を受信し、複数の係員の中から出動する係員を選定してその係員に出動指示を出す情報センタと、情報センタに動静情報を提出する複数の係員とが、通信回線を介してネットワークを構成する係員出動指令システムに関する。
【背景技術】
【０００２】
建物の設備に関して建物の所有者とメンテナンス契約を行ったメンテナンス会社は、建物の設備に故障が発生した場合には、係員を出動させて対応させている。この場合、設備故障に関する情報は、建物内の設備監視装置が検知し、送信装置から通信回線を介してメンテナンス会社の情報センタに備えられた遠隔監視装置に通報される。情報センタの司令員は、指令台動静表上に表示された係員の動静情報を目視により判定し、設備の故障が発生した建物からなるべく近接する位置にいる係員に出動指令を発信する。
【０００３】
特許文献１には、故障発生現場に最短時間で到達できる保守員を自動選択でき、短時間かつ手間をかけずに高精度な故障対応者を選択する故障対応システムが開示されている。ここでは、データベースから得た故障現場の位置情報、及び電話会社から得た保守員が携帯する携帯電話の位置情報に基づいて故障現場から携帯電話までの距離を算出し、故障現場から携帯電話までの移動時間を算出することが記載されている。また、故障内容が閉じ込め故障の場合には、算出した移動時間の中で最も短い移動時間に対応する携帯電話へ故障対応の指示を出力することが記載されている。
【０００４】
【特許文献１】特開２０００−２２２６６３号公報
【発明の開示】
【発明が解決しようとする課題】
【０００５】
司令員が出動指令を発信した係員が、作業状況によりその現場から離れられないなど、出動指令に対して即応できない場合がある。この場合には、司令員が他の対応可能な係員を探し出すまでに時間がかかり、設備の故障が発生した建物に係員が到着するのが遅れてしまうという問題がある。また、係員が移動中の場合には、正確な位置が把握できないという問題がある。
【０００６】
本願の目的は、かかる課題を解決し、設備故障が発生した建物に対して複数の係員から即応可能な候補者を迅速に選択して対応する係員出動指令システムを提供することである。
【課題を解決するための手段】
【０００７】
上記目的を達成するため、本発明に係る係員出動指令システムは、遠隔監視装置により建物の設備の故障発生情報を受信し、複数の係員の中から出動する係員を選定してその係員に出動指示を出す情報センタと、情報センタに動静情報を提出する複数の係員とが、通信回線を介してネットワークを構成する係員出動指令システムにおいて、情報センタは、設備の故障が発生した建物の位置情報を取得する建物位置情報取得部と、係員の動静情報から、係員の位置情報を取得する係員位置情報取得部と、各係員の位置情報と、設備の故障が発生した建物の位置情報とから各係員の移動距離を算出して判定する係員移動距離判定部と、係員の動静情報から、１つの作業現場に複数の係員が集合して作業をしているか否かを判断して係員の集合情報を判定する係員集合情報判定部と、係員の動静情報から、係員の作業状況を取得して係員の出動の容易度を判定する係員出動容易度判定部と、係員の動静情報から、係員の移動手段を取得して係員の移動の迅速度を判定する係員移動迅速度判定部と、建物の設備の故障発生情報を受信すると、各係員について係員移動距離判定部、係員集合情報判定部、係員出動容易度判定部、及び係員移動迅速度判定部が判定した結果を点数化し、出動候補者を順位付けして表示する出動係員情報表示部と、を備えることを特徴とする。
【０００８】
上記構成により、係員出動指令システムは、係員の設備の故障が発生した建物への移動距離及び移動時間だけではなく、係員の作業状況も考慮して出動指令を発信することを可能とする。係員の作業状況とは、例えば、係員が集合して作業をしているか否か、係員の出動が容易か否か、及び係員が迅速に移動できる否かなどかである。また、これらの係員の作業状況は、予め設定された条件に合致する場合には、その係員に点数が付与され、出動候補者を順位付けして表示される。これにより、指令員が即応可能な係員を迅速に選択して対応することができる。
【０００９】
また、係員出動指令システムは、出動係員情報表示部が、各判定部の判定結果について、故障が発生した建物への出動に適した条件を有する場合に、予め設定された点数を付与し、各係員に付与された点数を合算し、合算された点数の高い係員から出動候補者を順位付けすることが好ましい。これにより、各判定部の判定結果について、故障が発生した建物への出動に適する条件に対して予め点数を設定して加点して合算し、総合的に適任な係員の順に出動候補者を順位付けすることができる。
【００１０】
また、係員出動指令システムは、係員集合情報判定部が、係員が提出した動静情報から行先が同じ現場である係員を検索して１つの作業現場に複数の係員が集合して作業をしているか否かを判断し、出動係員情報表示部が、集合している係員の人数が予め設定された人数以上である場合に、それらの係員に対して予め定められた点数を加点することが好ましい。つまり、１つの作業現場に複数の係員が集合して作業をしている場合には、係員の配置に余裕があり、設備に故障が発生した建物へ係員を回せる可能性が高い。これにより、即応可能な係員を迅速に選択して対応することができる。
【００１１】
また、係員出動指令システムは、係員出動容易度判定部が、係員が待機中である場合、作業内容が保守点検である場合、及び作業終了予定時刻までの残余時間が所定の時間以上である場合、又は所定の時間以下である場合か否かを判定し、出動係員情報表示部が、これらの場合に該当する係員に対して予め設定された点数を加点することが好ましい。つまり、係員が待機中である場合には出動が容易である可能性が高い。また、作業終了予定時刻までの残余時間が所定の時間以上である場合には、作業終了までに時間的に余裕があり、設備の故障が発生した建物へ回せる可能性が高い。さらに、所定の時間以下である場合には、作業終了後に設備の故障が発生した建物へ回せる可能性が高い。これにより、即応可能な係員を迅速に選択して対応することができる。
【００１２】
また、係員出動指令システムは、係員出動容易度判定部が、係員が他の建物の設備の故障に対応中である場合には、その係員の出動容易度情報にフラッグを立て、出動係員情報表示部が、出動候補者の順位付けの際に、フラッグの立っている係員の順位を最下位とすることが好ましい。これにより、他の建物の設備の故障に対応中である係員に対しては、出動候補者の順位付けから外し、出動の可能性の低い出動候補者のリストアップを避けることができる。
【００１３】
また、係員出動指令システムは、係員出動容易度判定部が、係員移動距離判定部は、係員の移動距離を算出し、出動係員情報表示部は、予め設定された移動距離に対応する点数を加点することが好ましい。これにより、係員が設備の故障が発生した建物へ近接しているかが判断できる。
【００１４】
また、係員出動指令システムは、係員出動容易度判定部が、設備の故障が発生した建物の担当者である係員を判定し、出動係員情報表示部は、担当者である係員に対して点数を加点することが好ましい。これにより、故障が発生した建物の設備の状況を把握している係員を優先できる。
【００１５】
また、係員出動指令システムは、係員移動迅速度判定部は、係員が自動車、自転車、又はオートバイを使用して移動可能か否かを判定し、出動係員情報表示部は、係員がこれらの移動手段により移動可能である場合には予め設定された点数を加点することが好ましい。これにより、係員が設備の故障が発生した建物へ迅速に移動可能であるかが判断できる。
【００１６】
また、係員出動指令システムは、係員位置情報取得部が、係員が提出した動静情報からその係員の位置情報が取得できない場合には、携帯電話のＧＰＳ機能から係員の位置情報を取得することが好ましい。これにより、司令員は、動静情報から把握できない係員の位置情報が取得でき、移動中の係員であっても正確な位置が把握できる。
【００１７】
さらに、係員出動指令システムは、出動係員情報表示部が、順位付けした出動候補者について係員動静表地図上の係員の表示の近傍に順位を表示することが好ましい。これにより、司令員は、出動候補者の所在地を地図上の位置情報で確認し、出願候補者について順位付けを参照しながら選択することができる。
【発明の効果】
【００１８】
以上のように、本発明に係る係員出動指令システムによれば、設備故障が発生した建物に対して複数の係員から即応可能な候補者を迅速に選択して対応することが可能となる。
【発明を実施するための最良の形態】
【００１９】
以下に、図面を用いて本発明に係る係員出動指令システムの実施の形態につき、詳細に説明する。
【００２０】
図１に、係員出動指令システムの１つの実施形態の概略構成をブロック図及び説明図で示す。また、図２には出動候補者の順位表を示す。係員出動指令システム１は、設備管理契約をした複数の建物１１と、遠隔監視装置９を備えた情報センタ１０と、建物１１の設備１２の故障に対応する複数の係員１３と、が通信回線１５を介してネットワークを構成する。建物１１の設備監視装置１７は、建物１１内の設備１２の故障発生を検知すると送信装置１６を介して情報センタ１０の遠隔監視装置９に設備異常情報を発報する。
【００２１】
情報センタ１０は、遠隔監視装置９、建物位置情報取得部２、係員位置情報取得部３、係員移動距離判定部４、係員集合情報判定部５、係員出動容易度判定部６、係員移動迅速度判定部７、出動係員情報表示部８、及び係員出動情報記憶部１８から構成される。係員出動情報記憶部１８には、設備管理される建物１１の位置を保存する建物位置情報２０、その建物を担当している係員１３を保存する建物担当者情報２１、及び各係員１３ａ，１３ｂから提出される「作業届」、「作業管理シート」などを保存する係員動静情報２２が記憶される。
【００２２】
建物位置情報取得部２は、設備１２の故障が発生した建物１１の位置情報を係員出動情報記憶部１８に記憶された建物位置情報２０から検索して取得する。本実施形態では、建物１１の位置情報はその建物１１の緯度及び経度である。
【００２３】
係員位置情報取得部３は、係員出動情報記憶部１８を係員１３ごとに検索して各係員１３ａ，１３ｂの位置情報を取得する。すなわち、係員１３が提出した「作業届」、「作業管理シート」などの係員動静情報２１から各係員１３が所在する現場の建物を特定する。そして、建物位置情報２０からその現場の建物の緯度及び経度を、図２に示す係員位置情報２３として取得する。本実施形態では、係員位置情報２３は、その係員１３が所在する現場の建物の緯度及び経度である。
【００２４】
係員移動距離判定部４は、各係員位置情報２３と、設備１３の故障が発生した建物１１の建物位置情報２０とから、図２に示す各係員１３ａ，１３ｂの移動距離情報２４を判定する。さらに、建物位置情報取得部２は、係員動静情報２１から各係員１３ａ，１３ｂが所在する現場が特定できない場合には、係員１３が所持する携帯電話のＧＰＳ機能から係員位置情報２３を取得して補完する。
【００２５】
係員集合情報判定部５は、各係員１３ａ，１３ｂが提出した「作業届」、「作業管理シート」などの係員動静情報２１から、１つの現場に複数の係員１３ａ，１３ｂが集合して作業をしているか否かを調査する。そして１つの現場に複数の係員１３ａ，１３ｂが集合して作業をしていると判断した場合には、その集合する係員１３ａ，１３ｂについて、図２に示す係員集合情報２５に「該当する」と判定する。本実施形態では、係員集合情報判定部５は、１つの現場に３人以上の係員１３が集合している場合に、係員集合情報に該当すると判定する。これは、係員１３が３人以上集合して作業をしている場合には、そのうちの１人を別の現場に出動可能な場合があるからである。
【００２６】
係員出動容易度判定部６は、係員１３が提出した「作業届」、「作業管理シート」などの係員動静情報２１から係員１３の作業状況を取得し、図２に示す係員出動容易度情報２６により係員１３の出動の容易度を判定する。例えば、ある係員１３の予定が営業所などで待機中である場合には、容易に出動できると判断する。また、ある係員１３の作業内容が保守点検である場合には、緊急度が比較的低いことから出動の可能性が高いと判断する。一方、ある係員１３の作業内容が定期検査又は工事などである場合には、保守点検に比較して緊急度が比較的高いことから出動の可能性が低いと判断する。また、ある係員１３のその日の作業終了予定時刻までの残余時間が所定の時間以上、例えば２時間以上である場合には、その作業について余裕があり出動の可能性が高いと判断する。また、ある係員１３のその日の作業終了予定時刻までの残余時間が所定の時間以内、例えば１５分以内である場合には、その作業を完了して出動する可能性が高いと判断する。
【００２７】
また、係員出動容易度判定部６は、係員１３が他の建物１１の設備１２の故障に対応中である場合には、図２に示すその係員１３の故障対応中情報２７にフラッグを立てる。これは、緊急度が極めて高いことから作業終了までは出動不可と判断されるからである。このように、係員出動容易度判定部６は、各係員１３の作業状況からその係員１３の出動の容易度を判定する。
【００２８】
また、係員出動容易度判定部６は、係員１３のうち設備１２の故障が発生した建物１１の担当者については、図２に示す担当者情報２８に該当すると判断する。係員出動容易度判定部６は、この情報を係員出動情報記憶部１８に記憶された建物担当者情報２１を検索することで担当者情報２８を得ることができる。
【００２９】
係員移動迅速度判定部７は、係員が提出した「作業届」、「作業管理シート」などの係員動静情報２１から、係員１３の移動手段を取得し、図２に示す係員移動迅速度情報２９において係員１３の移動の迅速度を判定する。本実施形態では、係員１３が自動車、自転車、又はオートバイのうちいずれかを使用して移動可能か否かを判定する。
【００３０】
出動係員情報表示部８は、建物１１の設備１２の故障発生情報を遠隔監視装置９が受信すると、各係員１３について係員移動距離判定部４、係員集合情報判定部５、係員出動容易度判定部６、及び係員移動迅速度判定部７が判定した結果に基づき点数化を行い、図２に示すように出動候補者を順位付けして表示する。すなわち、出動係員情報表示部８は、各判定部４，５，６，７の判定結果について、設備故障が発生した建物１１への出動に適した条件を有する場合に、予め設定された点数を付与し、図２に示すように、その点数を合算した合計点３０を算出する。そして、合計点３０の高い係員１３から出動候補者を順位付けする。
【００３１】
本実施形態では、出動係員情報表示部８は、係員移動距離判定部４が判定した各係員１３の図２に示す移動距離情報２４については、１ｋｍ未満を５点とし、１ｋｍ以上で３ｋｍ未満を３点とし、３ｋｍ以上で６ｋｍ未満を１点とし、６ｋｍ以上を０点とする。
【００３２】
また、出動係員情報表示部８は、係員集合情報判定部５が判定した各係員１３の図２に示す係員集合情報２５については、集合している係員１３ａ，１３ｂが３人以上である場合に、それらの係員１３ａ，１３ｂ全員に対してそれぞれ２点を加点する。
【００３３】
また、出動係員情報表示部８は、係員出動容易度判定部６が判定した係員出動容易度情報２６については、係員１３の予定が営業所などで待機中である場合には、その係員１３に対して２点を加点する。また、係員１３の作業内容が保守点検である場合には、その係員に対して２点を加点する。また、係員１３のその日の作業終了予定時刻までの残余時間が２時間以上である場合には、その係員１３に対して２点を加点する。また、係員１３のその日の作業終了予定時刻までの残余時間が１５分以内である場合には、その係員１３に対して２点を加点する。さらに、出動係員情報表示部８は、係員出動容易度判定部６が判定した故障対応中情報２７においてフラッグの立っている係員１３については、図２に示すように、合計点に拘わらず順位を最下位とする。
【００３４】
また、出動係員情報表示部８は、係員移動迅速度判定部７が判定した係員１３の図２に示す係員移動迅速度情報２７については、係員１３が自動車、自転車、又はオートバイのうちいずれかの移動手段により移動可能である場合には、その係員１３に対して２点を加点する。
【００３５】
さらに、出動係員情報表示部８は、係員出動容易度判定部６が判断した図２に示す担当者情報２９については、係員１３のうち設備１２の故障が発生した建物１１の担当者と判断した係員１３に対しては２点を加点する。
【００３６】
出動係員情報表示部８は、順位付けした出動候補者について係員動静表地図上の各係員１３ａ，１３ｂの表示の近傍に順位を表示する。これにより、司令員は、出動候補者の所在地を地図上の位置情報で確認し、出願候補者について順位付けを参照しながら選択することができる。
【図面の簡単な説明】
【００３７】
【図１】本発明に係る係員出動指令システムの１つの実施形態の概略構成を示すブロック図及び説明図である。
【図２】出動候補者の順位表を示す説明図である。
【符号の説明】
【００３８】
１  係員出動指令システム、２  建物位置情報取得部、３  係員位置情報取得部、４  係員移動距離判定部、５  係員集合情報判定部、６  係員出動容易度判定部、７  係員移動迅速度判定部、８  出動係員情報表示部、９  遠隔監視装置、１０  情報センタ、１１  建物、１２  設備、１３  係員、１４  移動手段、１５  通信回線、１６  送受信装置、１７  設備監視装置、１８  係員出動情報記憶部、２０  建物位置情報、２１  担当者情報、２２  係員動静情報、２３  係員位置情報、２４  移動距離情報、２５  係員集合情報、２６  係員出動容易度情報、２７  故障対応中情報、２８  担当者情報、２９  係員移動迅速度情報、３０  合計点。
【図１】
2010092193.tif 000003
【図２】
2010092193.tif 000004